(57)【特許請求の範囲】
【請求項１】
機械読み取り可能な情報であってシート毎に異なって付与された情報（以下、個別情報という）と、機械読み取りが可能であって、前記個別情報とは相関がない情報（以下、ＮＣ情報という）とを備え、
前記ＮＣ情報が、真偽判別用シートの製造工程中に発生するランダム性を利用した繊維類及び／又は細片類の情報（以下、偶発的乱数情報という）であることを特徴とする真偽判別用シートの真偽を判別する方法であって、
前記真偽判別用シート毎の個別情報とＮＣ情報との対応を示す対応リストに前記個別情報と前記ＮＣ情報の対応を記録するステップと、
前記真偽判別用シートの個別情報とＮＣ情報を機械的に読み取るステップと、
前記読み取った個別情報が前記対応リストに存在し、かつ前記読み取ったＮＣ情報が、前記対応リストに記録されている前記個別情報に対応するＮＣ情報と一致する場合に、真偽の判別部において前記真偽判別用シートを真正物と判別するステップとを備えることを特徴とする真偽判別用シートの真偽判別方法。
【請求項２】
機械読み取り可能な情報であってシート毎に異なって付与された情報（以下、個別情報という）と、機械読み取りが可能であって、前記個別情報とは相関がない情報（以下、ＮＣ情報という）とを備え、
前記ＮＣ情報が、真偽判別用シートの製造工程中に発生するランダム性を利用した繊維類及び／又は細片類の情報（以下、偶発的乱数情報という）であることを特徴とする真偽判別用シートの真偽を判別する方法であって、
前記真偽判別用シートの偽造シートの個別情報を示すブラックリストに前記個別情報を記録するステップと、
前記真偽判別用シート毎の個別情報とＮＣ情報との対応を示す対応リストに前記個別情報と前記ＮＣ情報の対応を記録するステップと、
前記真偽判別用シートの個別情報とＮＣ情報を機械的に読み取るステップと、
前記読み取った個別情報が前記ブラックリストに存在せず、かつ前記読み取った個別情報が前記対応リストに存在し、かつ前記読み取ったＮＣ情報が前記対応リストに記録されている前記個別情報に対するＮＣ情報と一致する場合に、真偽の判別部において前記真偽判別用シートを真正物と判別するステップとを備えることを特徴とする真偽判別用シートの真偽判別方法。
【請求項３】
前記真偽判別方法において、
新たに判明した真偽判別用シートの偽造シートの個別情報を前記ブラックリストに追加記録するステップを備えることを特徴とする請求項２記載の真偽判別用シートの真偽判別方法。
【請求項４】
前記真偽判別方法において、
前記対応リストに、新規の真偽判別用シート毎の個別情報とＮＣ情報との対応の追加記録、及び／又は、使用を停止する真偽判別用シート毎の個別情報とＮＣ情報との対応記録の削除を行うステップとを備えることを特徴とする請求項１乃至３のいずれか一項記載の真偽判別用シートの真偽判別方法。
【請求項５】
機械読み取り可能な情報であってシート毎に異なって付与された情報（以下、個別情報という）と、機械読み取りが可能であって、前記個別情報とは相関がない情報（以下、ＮＣ情報という）とを備え、
前記ＮＣ情報が、真偽判別用シートの製造工程中に発生するランダム性を利用した繊維類及び／又は細片類の情報（以下、偶発的乱数情報という）であることを特徴とする真偽判別用シートの真偽を判別する方法であって、
前記真偽判別用シート毎の個別情報とＮＣ情報との対応を示す対応リストに前記個別情報と前記ＮＣ情報の対応を記録するステップと、
前記対応リストに、新規の真偽判別用シート毎の個別情報とＮＣ情報との対応の追加記録、及び／又は、前記対応リストから、使用を停止する真偽判別用シート毎の個別情報とＮＣ情報との対応記録の削除を行うステップと、
前記真偽判別用シート毎の個別情報と、前記真偽判別用シートが使用可能か否かという使用状況との対応を示す使用状況リストに、前記個別情報と前記真偽判別用シートが使用可能であるという使用状況の対応を記録するステップと、
前記使用状況リストに、新規の真偽判別用シート毎の個別情報及び前記真偽判別用シートが使用可能であるという使用状況の対応の追加記録、及び／又は、前記使用状況リストから、使用を停止する真偽判別用シート毎の個別情報及び使用状況の対応を削除を行うステップと、
前記真偽判別用シートの個別情報とＮＣ情報とを機械的に読み取るステップと、
真偽の判別部において、
前記読み取った個別情報が前記対応リストに存在せず又は、前記読み取った個別情報が前記対応リストに存在し、かつ前記読み取ったＮＣ情報と、前記対応リストに記録されている前記個別情報に対するＮＣ情報とが一致しない場合は、前記真偽判別用シートを真正物ではないと判別する、あるいは、
前記読み取った個別情報が前記対応リストに存在し、かつ前記読み取ったＮＣ情報と、前記対応リストに記録されている前記個別情報に対するＮＣ情報とが一致し、前記使用状況リストに記録されている前記個別情報に対応する使用状況が、前記真偽判別用シートは使用可能であるという使用状況でない場合は、前記真偽判別用シートを真正物ではないと判別すると同時に、前記使用状況リストに記録されている前記個別情報に対応する使用状況を、使用不可能であるにもかかわらず真偽判別が行われたという使用状況に書き換える、あるいは、
前記読み取った個別情報が前記対応リストに存在し、かつ前記読み取ったＮＣ情報と、前記対応リストに記録されている前記個別情報に対するＮＣ情報とが一致し、かつ前記使用状況リストに記録されている前記個別情報に対応する使用状況が、前記真偽判別用シートは使用可能であるという使用状況である場合は、前記真偽判別用シートを真正物と判別すると同時に、前記使用状況リストに記録されている前記個別情報に対応する使用状況を、使用不可能であるという使用状況に書き換え、前記真偽判別用シートを格納する格納部に、前記真偽判別用シートを格納し、かつ前記格納部が格納する真偽判別用シート毎の個別情報を示す格納リストに、前記読み取った個別情報を記録するステップと、
前記真偽判別用シートを格納部から取り出して使用可能にする際に、格納リストの個別情報に対応する使用状況リストの使用状況を表示部において表示するステップと、
前記格納リストの個別情報に対応する使用状況リストの使用状況を使用可能であるという使用状況に書き換えるステップとを備えることを特徴とする真偽判別用シートの真偽判別方法。
【請求項６】
機械読み取り可能な情報であってシート毎に異なって付与された情報（以下、個別情報という）と、機械読み取りが可能であって、前記個別情報とは相関がない情報（以下、ＮＣ情報という）とを備え、
前記ＮＣ情報が、真偽判別用シートの製造工程中に発生するランダム性を利用した繊維類及び／又は細片類の情報（以下、偶発的乱数情報という）であることを特徴とする真偽判別用シートの真偽を判別する方法であって、
前記真偽判別用シートの偽造シートの個別情報を示すブラックリストに前記個別情報を記録するステップと、
新たに判明した真偽判別用シートの偽造シートの個別情報を前記ブラックリストに追加記録するステップと、
前記真偽判別用シート毎の個別情報とＮＣ情報との対応を示す対応リストに、前記個別情報と前記ＮＣ情報の対応を記録するステップと、
前記対応リストに、新規の真偽判別用シート毎の個別情報とＮＣ情報との対応の追加記録、及び／又は、前記対応リストから、使用を停止する真偽判別用シート毎の個別情報とＮＣ情報との対応記録の削除を行うステップと、
前記真偽判別用シート毎の個別情報と、前記真偽判別用シートが使用可能か否かという使用状況との対応を示す使用状況リストに、前記個別情報と該真偽判別用シートが使用可能であるという使用状況の対応を記録するステップと、
前記使用状況リストに、新規の真偽判別用シート毎の個別情報及び前記真偽判別用シートが使用可能であるという使用状況の対応の追加記録、及び／又は、前記使用状況リストから、使用を停止する真偽判別用シート毎の個別情報及び使用状況の対応を削除を行うステップと、
前記真偽判別用シートの個別情報とＮＣ情報を機械的に読み取るステップと、
真偽の判別部において、
前記読み取った個別情報が前記ブラックリストに存在する、又は、前記読み取った個別情報が前記ブラックリストに存在せず、かつ前記読み取った個別情報が前記対応リストに存在せず、又は、前記読み取った個別情報が前記ブラックリストに存在せず、かつ前記読み取った個別情報が前記対応リストに存在し、かつ前記読み取ったＮＣ情報と、前記対応リストに記録されている前記個別情報に対するＮＣ情報とが一致しない場合は、前記真偽判別用シートを真正物ではないと判別する、あるいは、
前記読み取った個別情報が前記ブラックリストに存在せず、かつ前記読み取った個別情報が前記対応リストに存在し、かつ前記読み取ったＮＣ情報と、前記対応リストに記録されている前記個別情報に対するＮＣ情報とが一致し、前記使用状況リストに記録されている前記個別情報に対応する使用状況が、前記真偽判別用シートは使用可能であるという使用状況でない場合は、前記真偽判別用シートを真正物ではないと判別すると同時に、前記使用状況リストに記録されている前記個別情報に対応する使用状況を、使用不可能であるにもかかわらず真偽判別が行われたという使用状況に書き換える、あるいは、
前記読み取った個別情報が前記ブラックリストに存在せず、かつ前記読み取った個別情報が前記対応リストに存在し、かつ前記読み取ったＮＣ情報と、前記対応リストに記録されている前記個別情報に対するＮＣ情報とが一致し、かつ前記使用状況リストに記録されている前記個別情報に対応する使用状況が、前記真偽判別用シートは使用可能であるという使用状況である場合は、前記真偽判別用シートを真正物と判別すると同時に、前記使用状況リストに記録されている前記個別情報に対応する使用状況を、使用不可能であるという使用状況に書き換え、前記真偽判別用シートを格納する格納部に、前記真偽判別用シートを格納し、かつ前記格納部が格納する真偽判別用シート毎の個別情報を示す格納リストに、前記読み取った個別情報を記録するステップと、
前記真偽判別用シートを格納部から取り出して使用可能にする際に、前記格納リストの個別情報に対応する使用状況リストの使用状況を表示部において表示するステップと、
前記格納リストの個別情報に対応する使用状況リストの使用状況を使用可能であるという使用状況に書き換えるステップとを備えることを特徴とする真偽判別用シートの真偽判別方法。
【請求項７】
機械読み取り可能な情報であってシート毎に異なって付与された情報（以下、個別情報という）と、機械読み取りが可能であって、前記個別情報とは相関がない情報（以下、ＮＣ情報という）とを備え、
前記ＮＣ情報が、真偽判別用シートの製造工程中に発生するランダム性を利用した繊維類及び／又は細片類の情報（以下、偶発的乱数情報という）であることを特徴とする真偽判別用シートの真偽を判別する装置であって、
前記真偽判別用シート毎の個別情報とＮＣ情報との対応を示す対応リストを記録する対応リスト記録部と、
前記真偽判別用シート毎に個別情報とＮＣ情報とを読み取る機械読取部と、
前記読み取った個別情報が前記対応リストに存在し、かつ前記読み取ったＮＣ情報が、前記対応リストに記録されている前記個別情報に対応するＮＣ情報と一致する場合に、前記真偽判別用シートを真正物と判別する真偽判別部とを備えることを特徴とする真偽判別用シートの真偽判別装置。
【請求項８】
機械読み取り可能な情報であってシート毎に異なって付与された情報（以下、個別情報という）と、機械読み取りが可能であって、前記個別情報とは相関がない情報（以下、ＮＣ情報という）とを備え、
前記ＮＣ情報が、真偽判別用シートの製造工程中に発生するランダム性を利用した繊維類及び／又は細片類の情報（以下、偶発的乱数情報という）であることを特徴とする真偽判別用シートの真偽を判別する装置であって、
前記真偽判別用シートの偽造シートの個別情報をブラックリストに記録するブラックリスト記録部と、
前記真偽判別用シート毎の個別情報とＮＣ情報との対応を示す対応リストを記録する対応リスト記録部と、
前記真偽判別用シート毎に個別情報とＮＣ情報とを読み取る機械読取部と、
前記読み取った個別情報が前記ブラックリストに存在せず、かつ前記読み取った個別情報が前記対応リストに存在し、かつ前記読み取ったＮＣ情報が前記対応リストに記録されている前記個別情報に対するＮＣ情報と一致する場合に、前記真偽判別用シートを真正物と判別する真偽判別部とを備えることを特徴とする真偽判別用シートの真偽判別装置。
【請求項９】
機械読み取り可能な情報であってシート毎に異なって付与された情報（以下、個別情報という）と、機械読み取りが可能であって、前記個別情報とは相関がない情報（以下、ＮＣ情報という）とを備え、
前記ＮＣ情報が、真偽判別用シートの製造工程中に発生するランダム性を利用した繊維類及び／又は細片類の情報（以下、偶発的乱数情報という）であることを特徴とする真偽判別用シートの真偽を判別するシステムであって、
前記真偽判別用シート毎の個別情報とＮＣ情報との対応を示す対応リストを記録する対応リスト記録部と、
前記真偽判別用シートの個別情報が前記対応リストに存在し、かつ前記真偽判別用シートのＮＣ情報が、前記対応リストに記録されている前記個別情報に対応するＮＣ情報と一致する場合に、前記真偽判別用シートを真正物と判別する真偽判別部を備える真偽判別用シート管理センタと、
前記真偽判別用シート毎に個別情報とＮＣ情報とを読み取る機械読取部と、
前記真偽判別用シート管理センタから送信されてきた前記真偽判別部が行った判別結果を表示する表示部を備える真偽判別用シート読取端末と、
前記真偽判別用シート管理センタと少なくとも１つの前記真偽判別用シート読取端末とがオンラインで情報伝達可能とするネットワークとを備えることを特徴とする真偽判別用シートの真偽判別システム。
【請求項１０】
機械読み取り可能な情報であってシート毎に異なって付与された情報（以下、個別情報という）と、
機械読み取りが可能であって、前記個別情報とは相関がない情報（以下、ＮＣ情報という）とを備え、
前記ＮＣ情報が、真偽判別用シートの製造工程中に発生するランダム性を利用した繊維類及び／又は細片類の情報（以下、偶発的乱数情報という）であることを特徴とする真偽判別用シートの真偽を判別するシステムであって、
前記真偽判別用シートの偽造シートの個別情報を示すブラックリストを記録するブラックリスト記録部と、
前記真偽判別用シート毎の個別情報とＮＣ情報との対応を示す対応リストを記録する対応リスト記録部と、
前記真偽判別用シートの個別情報が前記ブラックリストに存在せず、かつ前記個別情報が前記対応リストに存在し、かつ前記真偽判別用シートのＮＣ情報が前記対応リストに記録されている前記個別情報に対するＮＣ情報と一致する場合に、前記真偽判別用シートを真正物と判別する真偽判別部とを備える真偽判別用シート管理センタと、
前記真偽判別用シート毎に個別情報とＮＣ情報とを読み取る機械読取部と、
前記真偽判別用シート管理センタから送信されてきた前記真偽判別部が行った判別結果を表示する表示部を備える真偽判別用シート読取端末と、
前記真偽判別用シート管理センタと少なくとも１つの前記真偽判別用シート読取端末とがオンラインで情報伝達可能とするネットワークとを備えることを特徴とする真偽判別用シートの真偽判別システム。
【請求項１１】
機械読み取り可能な情報であってシート毎に異なって付与された情報（以下、個別情報という）と、機械読み取りが可能であって、前記個別情報とは相関がない情報（以下、ＮＣ情報という）とを備え、
前記ＮＣ情報が、真偽判別用シートの製造工程中に発生するランダム性を利用した繊維類及び／又は細片類の情報（以下、偶発的乱数情報という）であることを特徴とする真偽判別用シートの真偽を判別するシステムであって、
前記真偽判別用シート毎の個別情報とＮＣ情報との対応を示す対応リストを記録する対応リスト記録部と、
前記真偽判別用シート毎の個別情報と、前記真偽判別用シートが使用可能か否かという使用状況との対応を示す使用状況リストを記録する使用状況リスト記録部と、
前記真偽判別用シートの個別情報が前記対応リストに存在せず、又は、前記個別情報が前記対応リストに存在し、かつ前記真偽判別用シートのＮＣ情報と、前記対応リストに記録されている前記個別情報に対するＮＣ情報とが一致しない場合は、前記真偽判別用シートを真正物ではないと判別する、あるいは、
前記個別情報が前記対応リストに存在し、かつ前記真偽判別用シートのＮＣ情報と、前記対応リストに記録されている前記個別情報に対するＮＣ情報とが一致し、前記使用状況リストに記録されている前記個別情報に対応する使用状況が、前記真偽判別用シートは使用可能であるという使用状況でない場合は、前記真偽判別用シートを真正物ではないと判別すると同時に、前記使用状況リスト記録部に対し、前記使用状況リストに記録されている前記個別情報に対応する使用状況を、使用不可能であるにもかかわらず真偽判別が行われたという使用状況に書き換るように命令する、あるいは、
前記個別情報が前記対応リストに存在し、かつ前記真偽判別用シートのＮＣ情報と、前記対応リストに記録されている前記個別情報に対するＮＣ情報とが一致し、かつ前記使用状況リストに記録されている前記個別情報に対応する使用状況が、この真偽判別用シートは使用可能であるという使用状況である場合は、前記真偽判別用シートを真正物と判別すると同時に、前記使用状況リスト記録部に対し、前記使用状況リストに記録されている前記個別情報に対応する使用状況を、使用不可能であるという使用状況に書き換えるように命令する真偽判別部を備える真偽判別用シート管理センタと、
前記真偽判別用シート毎に個別情報とＮＣ情報とを読み取る機械読取部と、
前記真偽判別用シートを格納する格納部と、
前記格納部が格納する真偽判別用シート毎の個別情報を記録する格納リスト記録部と、
前記真偽判別用シート管理センタから送信されてきた前記真偽判別部が行った判別結果を表示する表示部と、
前記格納部に真偽判別用シートを格納するように命令すると同時に、前記格納リスト記録部に前記真偽判別用シートの個別情報を記録するように命令するか否かを判断する判断部とを備える真偽判別用シート読取端末と、
前記真偽判別用シート管理センタと少なくとも１つの前記真偽判別用シート読取端末とがオンラインで情報伝達可能とするネットワークとを備えることを特徴とする真偽判別用シートの真偽判別システム。
【請求項１２】
機械読み取り可能な情報であってシート毎に異なって付与された情報（以下、個別情報という）と、機械読み取りが可能であって、前記個別情報とは相関がない情報（以下、ＮＣ情報という）とを備え、
前記ＮＣ情報が、真偽判別用シートの製造工程中に発生するランダム性を利用した繊維類及び／又は細片類の情報（以下、偶発的乱数情報という）であることを特徴とする真偽判別用シートの真偽を判別するシステムであって、
前記真偽判別用シート毎の個別情報とＮＣ情報との対応を示す対応リストを記録する対応リスト記録部と、
前記真偽判別用シートの偽造シートの個別情報を示すブラックリストを記録するブラックリスト記録部と、
前記真偽判別用シート毎の個別情報と、前記真偽判別用シートが使用可能か否かという使用状況との対応を示す使用状況リストを記録する使用状況リスト記録部と、
前記真偽判別用シートの個別情報が前記ブラックリストに存在する、又は、前記個別情報が前記ブラックリストに存在せず、かつ前記個別情報が前記対応リストに存在せず、又は、前記個別情報が前記ブラックリストに存在せず、かつ前記個別情報が前記対応リストに存在し、かつ前記真偽判別用シートのＮＣ情報と、前記対応リストに記録されている前記個別情報に対するＮＣ情報とが一致しない場合は、前記真偽判別用シートを真正物ではないと判別する、あるいは、
前記個別情報が前記ブラックリストに存在せず、かつ前記個別情報が前記対応リストに存在し、かつ前記真偽判別用シートのＮＣ情報と、前記対応リストに記録されている前記個別情報に対するＮＣ情報とが一致し、前記使用状況リストに記録されている前記個別情報に対応する使用状況が、前記真偽判別用シートは使用可能であるという使用状況でない場合は、前記真偽判別用シートを真正物ではないと判別すると同時に、前記使用状況リストに記録されている前記個別情報に対応する使用状況を、前記使用状況リスト記録部に対して、使用不可能であるにもかかわらず真偽判別が行われたという使用状況に書き換えるように命令する、あるいは、
前記個別情報が前記ブラックリストに存在せず、かつ前記個別情報が前記対応リストに存在し、かつ前記真偽判別用シートのＮＣ情報と、前記対応リストに記録されている前記個別情報に対するＮＣ情報とが一致し、かつ前記使用状況リストに記録されている前記個別情報に対応する使用状況が、この真偽判別用シートは使用可能であるという使用状況である場合は、前記真偽判別用シートを真正物と判別すると同時に、前記使用状況リスト記録部に対し、前記使用状況リストに記録されている前記個別情報に対応する使用状況を、使用不可能であるという使用状況に書き換えるように命令する真偽判別部とを備える真偽判別用シート管理センタと、
前記真偽判別用シート毎に個別情報とＮＣ情報とを読み取る機械読取部と、
前記真偽判別用シートを格納する格納部と、
前記格納部が格納する真偽判別用シート毎の個別情報を記録する格納リスト記録部と、
前記真偽判別用シート管理センタから送信されてきた前記真偽判別部が行った判別結果を表示する表示部と、
前記格納部に真偽判別用シートを格納するように命令すると同時に、前記格納リスト記録部に前記真偽判別用シートの個別情報を記録するように命令するか否かを判断する判断部とを備える真偽判別用シート読取端末と、
前記真偽判別用シート管理センタと少なくとも１つの前記真偽判別用シート読取端末とがオンラインで情報伝達可能とするネットワークとを備えることを特徴とする真偽判別システム。
【発明の詳細な説明】
【０００１】
【発明の属する技術分野】
本発明は、銀行券、証券、旅券冊子等の真偽判別用シートと真偽判別方法及びその装置並びに真偽判別システムに関する。
【０００２】
【従来の技術】
従来の銀行券又は証券等の真偽判別用シートにおいては、偽造防止用の印刷が施されているが、基本的には各シートの印刷内容は共通であり、異なるのは記番号のみである。記番号は偽造などの問題があったときにその履歴を調査するために使用されていた。このため偽造事件が発生すると、偽造券の記番号が報道され注意を呼びかけられていた。
【０００３】
偽造をより困難とする手法として、機能性材料を含むインキの皮膜をシートに抄き込んだり、特殊な繊維をシートに抄き込んだり、あるいはスレッド、ＯＶＤ（Ｏｐｔｉｃａｌ  Ｖａｒｉａｂｌｅ  Ｄｅｖｉｃｅ）などをシートに付与するなど、材料入手の困難性や製造体制を整える困難性を利用して、より偽造を困難を利用した手法がある。
【０００４】
また、このような材料の存在を機械的に確認する方法、さらにそれらを機械読み取りを行って２ビット以上の情報として活用する方法がある。特にインキの皮膜や繊維を抄き込んでいて、製造プロセスによるランダム性を活用した情報（以下、このような情報を偶発的乱数情報という。）を有するシートまたはカードといった媒体に対し、偶発的乱数情報と相関のある情報を媒体に付与し、その関係が正当なものと判断できたときに、その媒体を真正物と判断する手法が提案されている（特開平７―３２７７７号公報、特開平７―２１４９５５号公報）。
【０００５】
【発明が解決しようとする課題】
このように銀行券や証券等において偽造防止用に印刷された内容は、基本的には、同一券種、同種の証券においては同一であるため、一度偽造犯がこのような技術を習得すると大量の偽造が可能となるという問題があった。このような偽造を防ぐために、スレッドやＯＶＤなどの入手不可能な高度な技術で製造することにより偽造を防ぐという考え方はあるが、それを採用するにあたって銀行券や証券等の仕様を変更しなければならず、偽造者側の偽造の対応に追いついていけないという問題があった。また、記番号は銀行券や証券等を特定する唯一の手段であるが、偽造に対する貢献としては、発生した偽造券を特定するという程度の利用であった。このため記番号の活用により偽造を防止することには限界があった。
【０００６】
また、偶発的乱数情報を基材に持たせるために必要な材料の入手の困難性、あるいは製造体制を整える上での困難性に基づき、ある程度の基材の偽造防止効果は期待できる。しかし、偶発的乱数情報と、それと相関のある情報とを基材に付与する手法では、相関のある情報を付与するのに手間がかかったり、あるいは偶発的乱数情報と付与された情報の相関関係が偽造者に知られてしまい、偽造を許すことになりかねないという問題があった。
【０００７】
【課題を解決するための手段】
本発明の真偽判別用シートは、機械読み取り可能な情報であってシート毎に異なって付与された情報（以下、個別情報という）と、機械読み取りが可能であって、前記個別情報とは相関がない情報（以下、ＮＣ情報という）とを備えることを特徴としている。
【０００８】
また、本発明の真偽判別用シートは、前記個別情報は目視による識別が可能であり、前記ＮＣ情報は目視によって識別が不可能であることを特徴としている。
【０００９】
また、本発明の真偽判別用シートは、前記ＮＣ情報が、所定の画像認識手段又は所定の磁性認識手段により読み取りが可能であることを特徴としている。
【００１０】
また、本発明の真偽判別用シートは、前記個別情報と前記ＮＣ情報とが、前記真偽判別用シート毎に対応付けられて予め登録されていることを特徴としている。
【００１１】
また、本発明の真偽判別用シートは、前記個別情報が前記真偽判別用シート表面上に印刷されることによって付与されていることを特徴としている。
【００１２】
また、本発明の真偽判別用シートは、前記ＮＣ情報が、真偽判別用シートの製造工程中に発生するランダム性を利用した情報（以下、偶発的乱数情報という）であることを特徴としている。
【００１３】
また、本発明の真偽判別用シートは、前記偶発的乱数情報が、真偽判別用シートの製造工程中に混入される繊維類で構成されていることを特徴としている。
【００１４】
また、本発明の真偽判別用シートは、前記偶発的乱数情報が、真偽判別用シートの製造工程中に混入される細片類で構成されていることを特徴としている。
【００１５】
また、本発明の真偽判別用シートは、前記細片類が紙繊維付着インキ皮膜であることを特徴としている。
【００１６】
また、本発明の真偽判別用シートは、前記ＮＣ情報が、各シート毎に備えられている記録可能な領域に乱数を付与した情報（以下、付与乱数情報という）であることを特徴としている。
【００１７】
また、本発明の真偽判別用シートは、前記付与乱数情報が、真偽判別用シート中に埋没されたセキュリティスレッド上に記録されていることを特徴としている。
【００１８】
また、本発明の真偽判別用シートは、前記付与乱数情報が、真偽判別用シート上に貼付されたＯＶＤ上に記録されていることを特徴としている。
【００１９】
また、本発明の真偽判別用シートは、前記個別情報として記番号が印刷された銀行券、証券又は旅券冊子であることを特徴としている。
【００２０】
また、本発明の真偽判別方法は、個別情報とＮＣ情報とを備える真偽判別用シートの真偽を判別する方法であって、真偽判別用シート毎の個別情報とＮＣ情報との対応を示す対応リストに前記個別情報と前記ＮＣ情報の対応を記録するステップと、真偽判別用シートの個別情報とＮＣ情報を機械的に読み取るステップと、前記読み取った個別情報が前記対応リストに存在し、かつ前記読み取ったＮＣ情報が、前記対応リストに記録されている前記個別情報に対応するＮＣ情報と一致する場合に、真偽の判別部において前記真偽判別用シートを真正物と判別するステップとを備えることを特徴としている。
【００２１】
また、本発明の真偽判別方法は、個別情報とＮＣ情報とを備える真偽判別用シートの真偽を判別する方法であって、真偽判別用シートの偽造シートの個別情報を示すブラックリスに前記個別情報を記録するステップと、真偽判別用シート毎の個別情報とＮＣ情報との対応を示す対応リストに前記個別情報と前記ＮＣ情報の対応を記録するステップと、真偽判別用シートの個別情報とＮＣ情報を機械的に読み取るステップと、前記読み取った個別情報が前記ブラックリストに存在せず、かつ前記読み取った個別情報が前記対応リストに存在し、かつ前記読み取ったＮＣ情報が前記対応リストに記録されている前記個別情報に対するＮＣ情報と一致する場合に、真偽の判別部において前記真偽判別用シートを真正物と判別するステップとを備えることを特徴としている。
【００２２】
また、本発明の真偽判別方法は、新たに判明した真偽判別用シートの偽造シートの個別情報を前記ブラックリストに追加記録するステップを備えることを特徴としている。
【００２３】
また、本発明の真偽判別方法は、前記対応リストに、新規の真偽判別用シート毎の個別情報とＮＣ情報との対応の追加記録、及び／又は、使用を停止する真偽判別用シート毎の個別情報とＮＣ情報との対応記録の削除を行うステップとを備えることを特徴としている。
【００２４】
また、本発明の真偽判別方法は、個別情報とＮＣ情報とを備える真偽判別用シートの真偽を判別する方法であって、真偽判別用シート毎の個別情報とＮＣ情報との対応を示す対応リストに前記個別情報と前記ＮＣ情報の対応を記録するステップと、前記対応リストに、新規の真偽判別用シート毎の個別情報とＮＣ情報との対応の追加記録、及び／又は、前記対応リストから、使用を停止する真偽判別用シート毎の個別情報とＮＣ情報との対応記録の削除を行うステップと、真偽判別用シート毎の個別情報と、前記真偽判別用シートが使用可能か否かという使用状況との対応を示す使用状況リストに、前記個別情報と該真偽判別用シートが使用可能であるという使用状況の対応を記録するステップと、前記使用状況リストに、新規の真偽判別シート毎の個別情報及び前記真偽判別用シートが使用可能であるという使用状況の対応の追加記録、及び／又は、前記使用状況リストから、使用を停止する真偽判別用シート毎の個別情報及び使用状況の対応を削除を行うステップと、真偽判別用シートの個別情報とＮＣ情報を機械的に読み取るステップと、真偽の判別部において、前記読み取った個別情報が前記対応リストに存在せず又は、前記読み取った個別情報が前記対応リストに存在し、かつ前記読み取ったＮＣ情報と、前記対応リストに記録されている前記個別情報に対するＮＣ情報とが一致しない場合は、前記真偽判別用シートを真正物ではないと判別する、あるいは、前記読み取った個別情報が前記対応リストに存在し、かつ前記読み取ったＮＣ情報と、前記対応リストに記録されている前記個別情報に対するＮＣ情報とが一致し、前記使用状況リストに記録されている前記個別情報に対応する使用状況が、前記真偽判別用シートは使用可能であるという使用状況でない場合は、前記真偽判別用シートを真正物ではないと判別すると同時に、前記使用状況リストに記録されている前記個別情報に対応する使用状況を、使用不可能であるにもかかわらず真偽判別が行われたという使用状況に書き換える、あるいは、前記読み取った個別情報が前記対応リストに存在し、かつ前記読み取ったＮＣ情報と、前記対応リストに記録されている前記個別情報に対するＮＣ情報とが一致し、かつ前記使用状況リストに記録されている前記個別情報に対応する使用状況が、前記真偽判別用シートは使用可能であるという使用状況である場合は、前記真偽判別用シートを真正物と判別すると同時に、前記使用状況リストに記録されている前記個別情報に対応する使用状況を、使用不可能であるという使用状況に書き換え、前記真偽判別用シートを格納する格納部に、前記真偽判別用シートを格納し、かつ前記格納部が格納する真偽判別用シート毎の個別情報を示す格納リストに、前記読み取った個別情報を記録するステップと、真偽判別用シートを格納部から取り出して使用可能にする際に、格納リストの個別情報に対応する使用状況リストの使用状況を表示部において表示するステップと、格納リストの個別情報に対応する使用状況リストの使用状況を使用可能であるという使用状況に書き換えるステップとを備えることを特徴としている。
【００２５】
また、本発明の真偽判別方法は、個別情報とＮＣ情報とを備える真偽判別用シートの真偽を判別する方法であって、真偽判別用シートの偽造シートの個別情報を示すブラックリスに前記個別情報を記録するステップと、新たに判明した真偽判別用シートの偽造シートの個別情報を前記ブラックリストに追加記録するステップと、真偽判別用シート毎の個別情報とＮＣ情報との対応を示す対応リストに前記個別情報と前記ＮＣ情報の対応を記録するステップと、前記対応リストに、新規の真偽判別用シート毎の個別情報とＮＣ情報との対応の追加記録、及び／又は、前記対応リストから、使用を停止する真偽判別用シート毎の個別情報とＮＣ情報との対応記録の削除を行うステップと、真偽判別用シート毎の個別情報と、前記真偽判別用シートが使用可能か否かという使用状況との対応を示す使用状況リストに、前記個別情報と該真偽判別用シートが使用可能であるという使用状況の対応を記録するステップと、前記使用状況リストに、新規の真偽判別シート毎の個別情報及び前記真偽判別用シートが使用可能であるという使用状況の対応の追加記録、及び／又は、前記使用状況リストから、使用を停止する真偽判別用シート毎の個別情報及び使用状況の対応を削除を行うステップと、真偽判別用シートの個別情報とＮＣ情報を機械的に読み取るステップと、真偽の判別部において、前記読み取った個別情報が前記ブラックリストに存在する、又は、前記読み取った個別情報が前記ブラックリストに存在せず、かつ前記読み取った個別情報が前記対応リストに存在せず、又は、前記読み取った個別情報が前記ブラックリストに存在せず、かつ前記読み取った個別情報が前記対応リストに存在し、かつ前記読み取ったＮＣ情報と、前記対応リストに記録されている前記個別情報に対するＮＣ情報とが一致しない場合は、前記真偽判別用シートを真正物ではないと判別する、あるいは、前記読み取った個別情報が前記ブラックリストに存在せず、かつ前記読み取った個別情報が前記対応リストに存在し、かつ前記読み取ったＮＣ情報と、前記対応リストに記録されている前記個別情報に対するＮＣ情報とが一致し、前記使用状況リストに記録されている前記個別情報に対応する使用状況が、前記真偽判別用シートは使用可能であるという使用状況でない場合は、前記真偽判別用シートを真正物ではないと判別すると同時に、前記使用状況リストに記録されている前記個別情報に対応する使用状況を、使用不可能であるにもかかわらず真偽判別が行われたという使用状況に書き換える、あるいは、前記読み取った個別情報が前記ブラックリストに存在せず、かつ前記読み取った個別情報が前記対応リストに存在し、かつ前記読み取ったＮＣ情報と、前記対応リストに記録されている前記個別情報に対するＮＣ情報とが一致し、かつ前記使用状況リストに記録されている前記個別情報に対応する使用状況が、前記真偽判別用シートは使用可能であるという使用状況である場合は、前記真偽判別用シートを真正物と判別すると同時に、前記使用状況リストに記録されている前記個別情報に対応する使用状況を、使用不可能であるという使用状況に書き換え、前記真偽判別用シートを格納する格納部に、前記真偽判別用シートを格納し、かつ前記格納部が格納する真偽判別用シート毎の個別情報を示す格納リストに、前記読み取った個別情報を記録するステップと、真偽判別用シートを格納部から取り出して使用可能にする際に、格納リストの個別情報に対応する使用状況リストの使用状況を表示部において表示するステップと、格納リストの個別情報に対応する使用状況リストの使用状況を使用可能であるという使用状況に書き換えるステップとを備えることを特徴としている。
【００２６】
また、本発明の真偽判別装置は、個別情報とＮＣ情報とを備える真偽判別用シートの真偽を判別する装置であって、真偽判別用シート毎の個別情報とＮＣ情報との対応を示す対応リストを記録する対応リスト記録部と、真偽判別用シート毎に個別情報とＮＣ情報とを読み取る機械読取部と、前記読み取った個別情報が前記対応リストに存在し、かつ前記読み取ったＮＣ情報が、前記対応リストに記録されている前記個別情報に対応するＮＣ情報と一致する場合に、前記真偽判別用シートを真正物と判別する真偽判別部とを備えることを特徴としている。
【００２７】
また、本発明の真偽判別装置は、個別情報とＮＣ情報とを備える真偽判別用シートの真偽を判別する装置であって、真偽判別用シートの偽造シートの個別情報を示すブラックリストを記録するブラックリスト記録部と、真偽判別用シート毎の個別情報とＮＣ情報との対応を記録する対応リスト記録部と、前記真偽判別用シート毎に個別情報とＮＣ情報とを読み取る機械読取部と、前記読み取った個別情報が前記ブラックリストに存在せず、かつ前記読み取った個別情報が前記対応リストに存在し、かつ前記読み取ったＮＣ情報が前記対応リストに記録されている前記個別情報に対するＮＣ情報と一致する場合に、前記真偽判別用シートを真正物と判別する真偽判別部とを備えることを特徴としている。
【００２８】
また、本発明の真偽判別システムは、個別情報とＮＣ情報とを備える真偽判別用シートの真偽を判別するシステムであって、真偽判別用シート毎の個別情報とＮＣ情報との対応を示す対応リストを記録する対応リスト記録部と、真偽判別用シートの個別情報が前記対応リストに存在し、かつ前記真偽判別用シートのＮＣ情報が、前記対応リストに記録されている前記個別情報に対応するＮＣ情報と一致する場合に、前記真偽判別用シートを真正物と判別する真偽判別部を備える真偽判別用シート管理センタと、真偽判別用シート毎に個別情報とＮＣ情報とを読み取る機械読取部と、前記真偽判別用シート管理センタから送信されてきた前記真偽判別部が行った判別結果を表示する表示部を備える真偽判別用シート読取端末と、前記真偽判別用シート管理センタと少なくとも１つの前記真偽判別用シート読取端末とがオンラインで情報伝達可能とするネットワークとを備えることを特徴としている。
【００２９】
また、本発明の真偽判別システムは、個別情報とＮＣ情報とを備える真偽判別用シートの真偽を判別するシステムであって、真偽判別用シートの偽造シートの個別情報を示すブラックリストを記録するブラックリスト記録部と、真偽判別用シート毎の個別情報とＮＣ情報との対応を記録する対応リスト記録部と、真偽判別用シートの個別情報が前記ブラックリストに存在せず、かつ前記個別情報が前記対応リストに存在し、かつ前記真偽判別用シートのＮＣ情報が前記対応リストに記録されている前記個別情報に対するＮＣ情報と一致する場合に、前記真偽判別用シートを真正物と判別する真偽判別部を備える真偽判別用シート管理センタと、真偽判別用シート毎に個別情報とＮＣ情報とを読み取る機械読取部と、前記真偽判別用シート管理センタから送信されてきた前記真偽判別部が行った判別結果を表示する表示部を備える真偽判別用シート読取端末と、前記真偽判別用シート管理センタと少なくとも１つの前記真偽判別用シート読取端末とがオンラインで情報伝達可能とするネットワークとを備えることを特徴としている。
【００３０】
また、本発明の真偽判別システムは、個別情報とＮＣ情報とを備える真偽判別用シートの真偽を判別するシステムであって、真偽判別用シート毎の個別情報とＮＣ情報との対応を示す対応リストを記録する対応リスト記録部と、真偽判別用シート毎の個別情報と、前記真偽判別用シートが使用可能か否かという使用状況との対応を示す使用状況リストを記録する使用状況リスト記録部と、真偽判別用シートの個別情報が前記対応リストに存在せず、又は、前記個別情報が前記対応リストに存在し、かつ前記真偽判別用シートのＮＣ情報と、前記対応リストに記録されている前記個別情報に対するＮＣ情報とが一致しない場合は、前記真偽判別用シートを真正物ではないと判別する、あるいは、前記個別情報が前記対応リストに存在し、かつ前記真偽判別用シートのＮＣ情報と、前記対応リストに記録されている前記個別情報に対するＮＣ情報とが一致し、前記使用状況リストに記録されている前記個別情報に対応する使用状況が、前記真偽判別用シートは使用可能であるという使用状況でない場合は、前記真偽判別用シートを真正物ではないと判別すると同時に、前記使用状況リスト記録部に対し、前記使用状況リストに記録されている前記個別情報に対応する使用状況を、使用不可能であるにもかかわらず真偽判別が行われたという使用状況に書き換るように命令する、あるいは、前記個別情報が前記対応リストに存在し、かつ前記真偽判別用シートのＮＣ情報と、前記対応リストに記録されている前記個別情報に対するＮＣ情報とが一致し、かつ前記使用状況リストに記録されている前記個別情報に対応する使用状況が、この真偽判別用シートは使用可能であるという使用状況である場合は、前記真偽判別用シートを真正物と判別すると同時に、前記使用状況リスト記録部に対し、前記使用状況リストに記録されている前記個別情報に対応する使用状況を、使用不可能であるという使用状況に書き換えるように命令する真偽判別部を備える真偽判別用シート管理センタと、真偽判別用シート毎に個別情報とＮＣ情報とを読み取る機械読取部と、真偽判別用シートを格納する格納部と、前記格納部が格納する真偽判別用シート毎の個別情報を記録する格納リスト記録部と、前記真偽判別用シート管理センタから送信されてきた前記真偽判別部が行った判別結果を表示する表示部と、前記格納部に真偽判別用シートを格納するように命令すると同時に、前記格納リスト記録部に前記真偽判別用シートの個別情報を記録するように命令するか否かを判断する判断部とを備える真偽判別用シート読取端末と、前記真偽判別用シート管理センタと少なくとも１つの前記真偽判別用シート読取端末とがオンラインで情報伝達可能とするネットワークとを備えることを特徴としている。
【００３１】
また、本発明の真偽判別システムは、個別情報とＮＣ情報とを備える真偽判別用シートの真偽を判別するシステムであって、真偽判別用シート毎の個別情報とＮＣ情報との対応を示す対応リストを記録する対応リスト記録部と、真偽判別用シートの偽造シートの個別情報を示すブラックリストを記録するブラックリスト記録部と、前記真偽判別用シート毎の個別情報と、前記真偽判別用シートが使用可能か否かという使用状況との対応を示す使用状況リストを記録する使用状況リスト記録部と、真偽判別用シートの個別情報が前記ブラックリストに存在する、又は、前記個別情報が前記ブラックリストに存在せず、かつ前記個別情報が前記対応リストに存在せず、又は、前記個別情報が前記ブラックリストに存在せず、かつ前記個別情報が前記対応リストに存在し、かつ前記真偽判別用シートのＮＣ情報と、前記対応リストに記録されている前記個別情報に対するＮＣ情報とが一致しない場合は、前記真偽判別用シートを真正物ではないと判別する、あるいは、前記個別情報が前記ブラックリストに存在せず、かつ前記個別情報が前記対応リストに存在し、かつ前記真偽判別用シートのＮＣ情報と、前記対応リストに記録されている前記個別情報に対するＮＣ情報とが一致し、前記使用状況リストに記録されている前記個別情報に対応する使用状況が、前記真偽判別用シートは使用可能であるという使用状況でない場合は、前記真偽判別用シートを真正物ではないと判別すると同時に、前記使用状況リストに記録されている前記個別情報に対応する使用状況を、前記使用状況リスト記録部に対して、使用不可能であるにもかかわらず真偽判別が行われたという使用状況に書き換えるように命令する、あるいは、前記個別情報が前記ブラックリストに存在せず、かつ前記個別情報が前記対応リストに存在し、かつ前記真偽判別用シートのＮＣ情報と、前記対応リストに記録されている前記個別情報に対するＮＣ情報とが一致し、かつ前記使用状況リストに記録されている前記個別情報に対応する使用状況が、この真偽判別用シートは使用可能であるという使用状況である場合は、前記真偽判別用シートを真正物と判別すると同時に、前記使用状況リスト記録部に対し、前記使用状況リストに記録されている前記個別情報に対応する使用状況を、使用不可能であるという使用状況に書き換えるように命令する真偽判別部を備える真偽判別用シート管理センタと、真偽判別用シート毎に個別情報とＮＣ情報とを読み取る機械読取部と、真偽判別用シートを格納する格納部と、前記格納部が格納する真偽判別用シート毎の個別情報を記録する格納リスト記録部と、前記真偽判別用シート管理センタから送信されてきた前記真偽判別部が行った判別結果を表示する表示部と、前記格納部に真偽判別用シートを格納するように命令すると同時に、前記格納リスト記録部に前記真偽判別用シートの個別情報を記録するように命令するか否かを判断する判断部とを備える真偽判別用シート読取端末と、前記真偽判別用シート管理センタと少なくとも１つの前記真偽判別用シート読取端末とがオンラインで情報伝達可能とするネットワークとを備えることを特徴としている。
【００３２】
【発明の実施の形態】
本発明の真偽判別用シートの個別情報は、いかなる２枚の組み合わせをとっても、同じ個別情報を有するものが存在しないようにする必要がある。例えば個別情報として番号を使用する際は、上記の必要性を満たすために、番号の小さいものから割り振っていく事が多い。また、定まった桁数の番号を全て使用してしまった場合は、銀行券の記番号のように、印刷の色を替えるなどして、個別情報としての必要性を満たすことができる。
【００３３】
一方、個別情報と相関がない情報として定義したＮｏｎ−Ｃｏｒｒｅｌａｔｉｏｎ情報（略して、ＮＣ情報という）は、個別情報からそれに対応するＮＣ情報を推測できない必要がある。従って、ＮＣ情報としては、いくつか同じＮＣ情報をもつ真偽判別用シートが存在してもよいが、高い確率でＮＣ情報を推測されてしまうことがないようにしなければならない。
【００３４】
以下、本発明の実施の形態について図面を参照して説明する。真偽判別用シートの実施の形態、真偽判別方法とその真偽判別装置の実施の形態、真偽判別システムとその偽造防止システムに基づいた真偽判別方法の実施の形態の順で説明する。
【００３５】
（実施の形態１）  図１に、本発明の真偽判別用シートとして用いた銀行券１の概略図を示す。この銀行券１には、個別情報として記番号３が印刷されており、製造者すら情報の制御ができない情報を得るために、機能性材料である紫外線励起蛍光材料を含む紙繊維付着インキ皮膜２（特願平１１−７２４００号）が抄き込まれている。紫外線励起蛍光材料としては、ＢａＳｉ2Ｏ5：Ｐｂ、ＳｒＢ4Ｏ7：Ｅｕ、Ｃａ3（ＰＯ4）2：Ｔｌなどを適用することができる。この紙繊維付着インキ皮膜の蛍光発光を機械的に読み取ることにより偶発的乱数情報であるＮＣ情報を付与する。紙繊維付着インキ皮膜を使用することにより、繊維が付着していないものと比べて、シートから細片類が抜け落ちてしまうことがない。そして、このＮＣ情報は不可視であり、ＮＣ情報を通常読み取られることが無いようにできる。
【００３６】
本実施の形態では、ＮＣ情報として、シートにすき込んだ機能性材料を含む紙繊維付着インキ皮膜を利用しており、このようなＮＣ情報を偶発的乱数情報と呼ぶ。製造工程中のランダム性から、上記のＮＣ情報の必要性を満たしており、偶発的乱数情報はその情報とまったく同じ情報をもつシートを製造する困難性を有しており、セキュリティ性を高くすることができる。
【００３７】
（実施の形態２）  また、図２に、個別情報としてニ次元バーコード６が印刷されており、ＮＣ情報として紫外線励起蛍光材料を含む紙繊維付着インキ皮膜２を抄き込んだ真偽判別用シート４を示す。紫外線励起蛍光材料としては、ＢａＳｉ2Ｏ5：Ｐｂ、ＳｒＢ4Ｏ7：Ｅｕ、Ｃａ3（ＰＯ4）2：Ｔｌなどを適用することができる。ニ次元バーコードを使用しているので、個別情報の情報量を増加させたり、機械読み取りを安定化させたりすることが可能である。そして、自然光では無色なので、通常は不可視であり、紫外線を照射したときに蛍光を発行させることが可能である。ＮＣ情報は、偶発的乱数情報である。二次元バーコードを使用することにより、個別情報の機械読み取りを安定なものにすることができる。
【００３８】
（実施の形態３）  また、図３に、個別情報８が印刷されており、ＮＣ情報として、偶発的乱数情報を構成する紫外線励起蛍光材料を含む繊維類７を抄き込んだ真偽判別用シート４を示す。紫外線励起蛍光材料としては、ＢａＳｉ2Ｏ5：Ｐｂ、ＳｒＢ4Ｏ7：Ｅｕ、Ｃａ3（ＰＯ4）2：Ｔｌなどを適用することができる。繊維類を使用することにより、シートを構成する繊維と絡み合い、偶発的乱数情報を構成する繊維類が抜け落ちにくくなる。また、図３に示す繊維類７として、磁性繊維を使用することにより、磁気センサによって検出可能なＮＣ情報を得ることが可能となる。
【００３９】
（実施の形態４）  また、図４に、個別情報８が印刷されており、磁性セキュリティスレッド９を埋設した真偽判別用シート４を示す。本実施の形態では、ＮＣ情報として、製造者が、コンピュータなどで乱数を発生させ、その情報を磁性セキュリティスレッド９に記録した付与乱数情報を使用している。乱数を付与しているので、上述のＮＣ情報としての必要性を満たしている。セキュリティスレッドを使用することにより、セキュリティスレッド自体が有する偽造防止効果を得ることが可能となる。
【００４０】
（実施の形態５）  また、図５に、個別情報８が印刷されており、ＯＶＤ１０を付与した真偽判別用シート４を示す。本実施の形態では、ＮＣ情報として、製造者が、コンピュータなどで乱数を発生させ、その情報をＯＶＤに記録した付与乱数情報を使用している。ＯＶＤに微小な凹凸をレーザにより付与することにより、不可視することが可能で、レーザーセンサを使用することにより機械読み取りが可能になる。ＯＶＤを使用することにより、ＯＶＤ自体が有する偽造防止効果を得ることが可能となる。
【００４１】
次に、偽造防止方法とその偽造防止装置の実施の形態、偽造防止システムとその偽造防止システムに基づいた真偽判別方法の実施の形態の説明をするが、適切に機械読み取りすることにより、上記の真偽判別用シートのいずれを用いてもよい。図６に、個別情報を読み取るＣＣＤセンサ１３と、ＮＣ情報である紫外線励起蛍光発光を読み取るための紫外線光源１６と蛍光ＣＣＤセンサ１５よりなる紫外線励起蛍光発光読取部分１７とを備えた機械読取部３０を示す。この機械読取部３０を使用することにより、実施の形態１及び実施の形態５の繊維類７として紫外線励起蛍光材料を使用した場合の真偽判別用シートの個別情報とＮＣ情報を読み取ることが可能になる。
【００４２】
図７に、個別情報を読み取るＣＣＤセンサ１３と、ＮＣ情報を読み取る磁気ヘッド１２を備えた機械読取部３０を示す。この機械読取部３０を使用することにより、実施の形態５の繊維類７として磁性材料を使用した場合の真偽判別用シートの個別情報とＮＣ情報を読み取ることが可能になる。
【００４３】
図８に、個別情報である二次元バーコードを読み取るためのニ次元バーコードリーダ１４と、ＮＣ情報である紫外線励起蛍光発光を読み取るための紫外線光源１６と蛍光ＣＣＤセンサ１５よりなる紫外線励起蛍光発光読取部分１７とを備えた機械読取部３０を示す。これを使用することにより、実施の形態２で示した真偽判別用シートの機械読み取りが可能になる。
【００４４】
図９に、ＯＶＤ上のＮＣ情報を読み取るためのレーザセンサ１８のイメージ図を示す。
【００４５】
以上の機械読取部を構成する部分を組み合わせることにより、上述の実施の形態で示した真偽判別用シートの個別情報とＮＣ情報とを読み取ることが可能なこことから、以下の説明では個別情報とＮＣ情報とを備える真偽判別用シートを一般化して説明をする。
【００４６】
（実施の形態６）  図１０に、真偽判別用シートの真偽判別方法のフローチャートを、そして図１１に、その方法を実現する真偽判別装置２２を示す。Ｓ１において、あらかじめ、真偽判別用シートから、その個別情報とＮＣ情報との対応を対応リストに記録しておく。Ｓ２において、その後、新規に真偽判別用シートが発行された場合や、真偽判別用シートの使用を停止する場合など、対応リストの更新を行う。真偽判別を行いたいときに、Ｓ３において、機械読取部３０で、個別情報とＮＣ情報を読み取り、Ｓ４において、真偽判別部３１でそれらの対応が対応リスト記録部３２の対応リストに存在するかどうかを判別する。その手順としては、読み取った個別情報が前記対応リストに存在し、かつ読み取ったＮＣ情報が、対応リストに記録されている個別情報に対応するＮＣ情報と一致する場合に、真偽の判別部において前記真偽判別用シートを真正物と判別する。この真偽判別を行うことにより、真偽判別用シートと対応リストに存在しないようなシートとを判別することが可能となる。
【００４７】
（実施の形態７）  図１２に、真偽判別用シートの真偽判別方法のフローチャートを、そして図１３に、その方法を実現する真偽判別装置２２を示す。実施の形態６との違いとして、対応リスト記録部３２に加えて、ブラックリストを記録するブラックリスト記録部３３を有し、ブラックリストに存在する個別情報を有する真偽判別用シートを偽として判別している。ブラックリストには、出回っている偽造シートの個別情報を登録する。Ｓ１において、ブラックリスト記録部３３のブラックリストに真偽判別用シートの偽造シートの個別情報を記録し、Ｓ２において、対応リスト記録部３２の対応リストに真偽判別用シート毎の個別情報とＮＣ情報の対応を記録し、Ｓ３において、新たに判明した偽造シートの個別情報をブラックリスト記録部３３のブラックリストに追加記録し、Ｓ４において、新規に真偽判別用シートが発行された場合や、真偽判別用シートの使用を停止する場合など、対応リスト記録部３２の対応リストの更新を行う。そして真偽判別を行いたいときに、Ｓ５において、機械読取部３０で、個別情報とＮＣ情報を読み取り、Ｓ６において、読み取った個別情報がブラックリストに存在せず、かつ読み取った個別情報が対応リストに存在し、かつ読み取ったＮＣ情報が対応リストに記録されている個別情報に対するＮＣ情報と一致する場合に、真偽の判別部において前記真偽判別用シートを真正物と判別する。ブラックリストによる真偽判別を追加することにより、真偽判別をより確かなものとすることが可能となる。
【００４８】
次に、真偽判別システムとその真偽判別システムに基づいた真偽判別方法の実施の形態の説明の前に、図１４に本システムのネットワークのイメージ図を示す。真偽判別用シート管理センタ１９と少なくとも一つの真偽判別用シート読取端末２０がオンラインで通信可能であることを表している。このネットワーク２１を実現する手段としては、今日のインターネットで使用しているネットワークや一般電話、携帯電話、あるいは専用回線などのネットワークが考えられる。
【００４９】
（実施の形態８）  図１５に、本実施の形態の真偽判別用シート管理センタ１９を、図１６に、本実施の形態の真偽判別用シート読取端末２０を示す。真偽判別用シート管理センタ１９は、真偽判別用シート毎の個別情報とＮＣ情報の対応を示す対応リストを記録する対応リスト記録部３２と、それに基づいて真偽判別を行う真偽判別部３１を備える。真偽判別用読取端末２０は、シートの個別情報とＮＣ情報を読み取る機械読取部３０と、真偽判別用シート管理センタ１９からの送信結果を表示する表示部３４を備える。
【００５０】
図１７に、真偽判別用シート４発行時において、真偽判別用シート４から個別情報とＮＣ情報を対応リストに登録しているところを示す。図１８に、対応リストから、無効となった真偽判別用シート４の個別情報とＮＣ情報を削除しているところを示す。図１８ではＡＢＣＤＥ：ＩＤ６５Ｆを、真偽判別用シート管理センタ１９の保有するリストから削除する。有効な真偽判別用シートの情報のみを登録しておくことで、個別情報とＮＣ情報との対応だけでなく、無効な個別情報を有する真偽判別用シートを拒絶できるようになる。
【００５１】
図１９に、本実施の形態による真偽判別方法における処理の手順を示す。Ｓ１で、真偽判別用シート読取端末２０に挿入された真偽判別用シート４の検査を行う際に、その真偽判別用シート読取端末２０は、機械読取部３０においてその真偽判別用シート４から個別情報とＮＣ情報とを読み取り、それらの情報を真偽判別用シート管理センタ１９に送る。Ｓ２として、真偽判別用シート管理センタ１９は、送られてきた個別情報とＮＣ情報から、対応リスト記録部３２を使って、対応リストに個別情報が存在するか否かを判定し、存在する場合には、その個別情報の正しいＮＣ情報と送られてきたＮＣ情報が一致しているか否かを、真偽判別部において判定する。これらの検査を満足した場合に、その真偽判別用シート４は受理できるシートであるという結果を真偽判別用シート読取端末２０に送る。また、個別情報が存在しない場合、あるいは個別情報とＮＣ情報との対応が正しくない場合は、その真偽判別用シート４は偽造シートであるという結果を送る。Ｓ３において、真偽判別用シート読取端末２０は、表示部３４で真偽判別用シート管理センタ１９から送られてきた判別結果を表示し、その判別結果に基づき、シートが偽造シートであった場合、真偽判別用シート読取端末を管理する機関は、係員を呼び出したり、警察に通報するなどの対応をとる。
【００５２】
真偽判別にネットワークを使用することにより、常に最新の対応リストに基づいた真偽判別が行える。そして、真偽判別用シート管理センタ１９だけが対応リストを管理しているので、対応リストを全体的には秘密にしておくことが可能であり、大量の偽造シートを製造されてしまうことを防ぐことが可能となる。
【００５３】
（実施の形態９）  実施の形態８では対応リストを基にした真偽判別方法を示したが、本実施の形態においては対応リストとブラックリストを基にした真偽判別方法を示す。ブラックリストは、市中に出回っていることが判明した偽造シートの個別情報を記録したものである。図２０に、本実施の形態の真偽判別用シート管理センタ１９を示す。本実施の形態の真偽判別用シート読取端末２０は、図１６と同じ構成である。そして、真偽判別用シート管理センタ１９と少なくとも一つの真偽判別用シート読取端末２０とは、図１４に示すネットワークによって、オンラインで情報通信が行える。
【００５４】
図２１に、偽造シートのブラックリストへの記録を示す。ブラックリスト記録部３３に偽造シートの個別情報を記録する。その後、新たな偽造シートが出回った場合、ブラックリスト記録部３３にその個別情報を追加記録する。また、本実施の形態においても、前記実施の形態８で行ったと同様に、図１７で示した真偽判別用シートの個別情報とＮＣ情報との対応リストへの登録や、図１８で示した真偽判別用シートの個別情報とＮＣ情報との対応リストからの削除といった対応リストの更新を行う。
【００５５】
図２２に、本実施の形態による真偽判別方法における処理の手順を示す。Ｓ１で、真偽判別用シート読取端末２０に挿入された真偽判別用シート４の検査を行う際に、その真偽判別用シート読取端末２０は、機械読取部３０においてその真偽判別用シート４から個別情報とＮＣ情報を読み取り、それらの情報を真偽判別用シート管理センタ１９に送る。Ｓ２として、真偽判別用シート管理センタ１９は、真偽判別部３１において、ブラックリスト記録部３３を使って、送られてきた個別情報がブラックリストに存在するか否かを確認する。そして、対応リスト記録部３２を使って、送られてきた個別情報とＮＣ情報から、対応リストに個別情報が存在するか否かを確かめ、存在する場合には、その個別情報に対応する正しいＮＣ情報と送られてきたＮＣ情報が一致しているかどうかを確かめる。これらの検査を満足した場合に、その真偽判別用シートは受理できるシートであるという結果を真偽判別用シート読取端末２０に送る。それらの検査を満足していない場合は、その真偽判別用シートは拒絶するシートであるという結果を送る。Ｓ３において、真偽判別用シート読取端末２０は、表示部３４で真偽判別用シート管理センタ１９から送られてきた判別結果を表示する。この表示された判別結果に基づき、シートが偽造シートであった場合、真偽判別用シート読取端末を管理する機関は、係員を呼び出したり、警察に通報するなどの対応をとる。
【００５６】
本実施の形態では、前記実施の形態８の効果に加えて、ブラックリストを使用しており、真偽判別用シート管理センタ１９において最初にブラックリストで判定を行うので、ブラックリストにある個別情報を有する偽造シートをすばやく検出することが可能になる。また、先の真偽判別方法の処理の手順において、対応リストによる真偽判別を行っているところで拒絶された個別情報をブラックリストに追記することによって、常に最新情報のブラックリストを持つことが可能となる。
【００５７】
（実施の形態１０）  図２３に、本実施の形態における真偽判別用シート管理センタ１９を、図２４に、真偽判別用シート読取端末２０を示す。真偽判別用シート管理センタ１９は、上記の実施の形態の真偽判別用シート管理センタと同様に対応リスト記録部３２と真偽判別部３１を備えると共に、使用状況リストを記録する使用状況リスト記録部３８を備える。使用状況リストは、発行されている真偽判別用シートの個別情報と、各個別情報に対して使用状況として０、１、２の番号が振られているものである。真偽判別用シート読取端末２０は、上記の実施の形態の真偽判別用シート読取端末と同様に機械読取部３０と表示部３４を備えると共に、真偽判別用シートを格納する格納部３７と、そこに格納してある真偽判別用シートの個別情報を示す格納リストを記録した格納リスト記録部３６と、真偽判別用シート管理センタ１９からの判別結果に基づき真偽判別用シートを格納部３５に格納させるかどうかを判断したり、格納させる場合に格納リストにその個別情報を記録したり、格納部３５から真偽判別用シートを取り出す際に、格納リストにある個別情報を真偽判別用シート管理センタ１９に送り、その結果に基づき格納リストを更新したりする判断部３５とを備える。真偽判別用シート管理センタ１９が備える使用状況リストの使用状況である番号の意味として、０が振付けられている場合、その個別情報を備える真偽判別用シートは、どの真偽判別用シート読取端末の格納部にもなくて使用可能状態であることを表し、１が振付けられている場合、その個別情報を備える真偽判別用シートは、いずれかの真偽判別用シート読取端末の格納部にあり使用不可能状態であることを表し、２が振付けられている場合、その個別情報を備える真偽判別用シートがいずれかの真偽判別用シート読取端末の格納部にあるにもかかわらず、いずれかの真偽判別用シート読取端末においてその個別情報を有するシートが新たに機械読み取りされたということを表す。
【００５８】
図２５に、本実施の形態における真偽判別用シート４発行時の手続きを示す。真偽判別用シート４の個別情報とＮＣ情報、及びその対応を真偽判別用シート管理センタ１９の対応リストに登録するとともに、使用状況リストにその個別情報と使用状況として０という情報を登録する。上記した実施の形態で行ったと同様に、図１８に示した無効となった真偽判別用シート４の個別情報とＮＣ情報を対応リストから削除すると共に、使用状況リストからもその個別情報とそれに対応する使用状況の番号を削除する。新たな真偽判別用シートの登録も、対応リストと使用状況リスト双方に対して行う。
【００５９】
図２６に、本実施の形態による判別方法の処理の手順を示す。Ｓ１で、真偽判別用シート読取端末２０に挿入された真偽判別用シート４の検査を行う際に、その真偽判別用シート読取端末２０は、機械読取部３０においてその真偽判別用シート４から個別情報とＮＣ情報を読み取って真偽判別用シート管理センタ１９に送る。Ｓ２として、真偽判別用シート管理センタ１９は、真偽判別部３１において、対応リスト記録部３２を使って、対応リストに個別情報が存在するか否かを確認し、確認ができたら、次にＮＣ情報が一致するかどうかを確認する。それが確認できたら、使用状況リスト記録部３８を使い、個別情報に対する使用状況が０であることを確認し、この時点で、前記の真偽判別用シート４が真正なものであることが確認できる。真偽判別用シート管理センタ１９は結果を真偽判別用シート読取端末２０に送った後、真偽判別用シート管理センタ１９の使用状況リストに、今検査した個別情報の使用状況を１に更新する。使用状況が０以外のため拒絶された場合は、使用状況リストのその個別情報に対する使用状況を２にする。Ｓ３において、真偽判別用シート読取端末２０は、表示部３４で真偽判別用シート管理センタ１９から送られてきた判別結果を表示し、その判定結果に基づき、シートが偽造シートであった場合、真偽判別用シート読取端末２０を管理する機関は、係員を呼び出したり、警察に通報するなどの対応をとる。真偽判別用シート４が真正な真偽判別用シートと判定された場合は、その真偽判別用シート４を格納部３５に収納し、格納リスト記録部３６の格納リストに個別情報を追記するように、判断部３７が命令する。一つ注意しなければならないことは、使用状況で拒絶された場合は、検査対象のシートが偽造とは限らない。これより先に検査された真偽判別用シートで、同じ個別情報で同じＮＣ情報を有するシートが存在していたことになり、それと今回検査したシートのどちらかが偽造シートであるということになる。
【００６０】
図２７に、本実施の形態において真偽判別用シート読取端末２０の格納部３５からシートを取り出す際の手続きを示す。まずＳ１において、真偽判別用シート読取端末２０の格納リストの個別情報を真偽判別用シート管理センタ１９に送る。Ｓ２において、真偽判別用シート管理センタ１９は、使用状況リストから、送られてきた個別情報すべての使用状況が１の場合は０にして、正常に０に更新されたという結果を真偽判別用シート読取端末２０に送信し、Ｓ３において、真偽判別用シート読取端末２０はその情報を表示するとともに格納リストにある個別情報すべてを削除する。真偽判別用シート読取端末２０を管理している者が格納部から真偽判別用シート４を取り出す。また、Ｓ２で、真偽判別用シート管理センタ１９において、真偽判別用シート読取端末２０から送信された個別情報の中に使用状況が２のものがあった場合、それらの使用状況を０にし、真偽判別用シート読取端末２０に使用状況が２であった個別情報を送信する。真偽判別用シート読取端末２０はその個別情報を表示するとともに格納リストにこの個別情報全てを削除する。真偽判別用シート読取端末を管理する者は格納部から真偽判別用シートを取り出し、その表示部３４に表示された個別情報をもつシートを抜き取って、そのシートを警察など、シートの真偽を鑑定できる機関に提出する。
【００６１】
本実施の形態の効果としては、前記実施の形態９に示した効果と共に、真偽判別用シート管理センタ１９が管理する使用状況リストをネットワークシステムの下で機能させることが可能になり、偽造シートの検出をすばやく行うことが可能となる。
【００６２】
（実施の形態１１）  前記実施の形態９では、真偽判別用シート管理センタ１９は対応リストを管理しており、前記実施の形態１０では、対応リストとブラックリストを管理しており、前記実施の形態１０では、対応リストと使用状況リストを管理している。本実施の形態では、真偽判別用シート管理センタ１９は、対応リスト、ブラックリスト、そして使用状況リストを管理するものである。図２８に、本実施の形態における真偽判別用シート管理センタ１９を示す。真偽判別用シート管理センタ１９は、対応リストとブラックリストと使用状況リストを管理するが、図２３に示したように、対応リスト記録部３２と使用状況リスト記録部３８とを別々に管理することもできるし、図２８のように結合した形態である対応使用状況リスト記録部３９として管理することもできる。図２８の真偽判別用シート管理センタ１９と図２４に示す少なくとも一つの真偽判別用シート読取端末２０とが図１４に示すネットワーク２１で接続しており、オンラインで情報伝達が可能であるものとする。
【００６３】
図２９に、本実施の形態における真偽判別用シート発行時の手続きを示す。上記の実施の形態と同様に、真偽判別用シート４の個別情報とＮＣ情報、及びその対応を真偽判別用シート管理センタ１９の対応リストに登録し、その個別情報に対し使用状況０という登録も行う。また、図２１に示すように、偽造シートの個別情報のブラックリストへの登録や、追加登録と、図１８に示した無効となった真偽判別用シートの個別情報とＮＣ情報とを対応リストから削除すると共に、使用状況リストからもその個別情報とそれに対応する使用状況の番号の削除を行う。そして、新規に発行する真偽判別用シートの登録を、対応使用状況リストに記録する。
【００６４】
図３０に、本実施の形態による真偽判別方法における処理の手順を示す。Ｓ１で、真偽判別用シート４の検査を行う際に、真偽判別用シート読取端末２０は、機械読取部３０において真偽判別用シート４から個別情報とＮＣ情報とを読み取って真偽判別用シート管理センタ１９に送る。Ｓ２において、真偽判別用シート管理センタ１９は、真偽判別部３１で、ブラックリスト記録部３３のブラックリストに、送られてきた個別情報がないことを確認する。次に、対応使用状況リスト記録部３９の対応使用状況リストに個別情報が存在するかどうかを確認し、確認ができたら、ＮＣ情報が一致するかどうかを確認する。それが確認できたら、使用状況が０であることを確認し、この時点で、前記の真偽判別用シート４が真正なものであることが確認できる。真偽判別用シート管理センタ１９は結果を真偽判別用シート読取端末２０に送った後、真偽判別用シート管理センタ１９の使用状況リストに、今検査した個別情報の使用状況タグを１に更新する。使用状況が０以外のため拒絶された場合は、使用状況リストのその個別情報に対する使用状況を２にする。Ｓ３において、真偽判別用シート読取端末２０は真偽判別結果を表示部３４で表示する。この表示に基づき、真偽判別用シート４が偽造シートであった場合、真偽判別用シート読取端末２０を管理する機関は、係員を呼び出したり、警察に通報するなどの対応をとる。真偽判別用シート４が真正な真偽判別用シートと判定された場合は、そのシートを格納部３５に収納し、格納リスト記録部３６の格納リストに個別情報を追記するように判断部３７が判断する。一つ注意しなければならないことは、使用状況で拒絶された場合は、検査対象の真偽判別用シートが偽造とは限らない。これより先に検査された真偽判別用シートで、同じ個別情報で同じＮＣ情報を有するシートが存在していたことになり、それと今回検査したシートのどちらかが偽造シートであるということになる。
【００６５】
本実施の形態において真偽判別用シート読取端末２０の格納部から真偽判別用シートを取り出す際の手続きは、実施の形態１０において図２７で示した場合と同じ手続をする。
【００６６】
本実施の形態の効果としては、前記実施の形態８に示した効果と共に、真偽判別用シート管理センタが管理する使用状況リストをネットワークシステムの下で機能させることが可能になり、偽造シートの検出をすばやく行うことが可能となる。また、対応リスト、ブラックリスト、使用状況リストを併用することにより、より確かな真偽判別が可能になる。
【００６７】
上述した実施の形態はいずれも一例であって、本発明を限定するものではない。例えば、ブラックリストを使用している真偽判別方法の処理の手順において、対応リストまたは対応使用状況リストによる真偽判別を行っているところで拒絶された個別情報をブラックリストに追記することによって、常に最新情報のブラックリストを持つことが可能となる。
【００６８】
【発明の効果】
本発明によれば、個別情報とＮＣ情報とは相関がないので、一方の情報からもう一方の情報を推測することは不可能である。すなわち、一般に市販されているプリンターなどで、例えば、個別情報としての記番号だけを変えた偽造シートを製造しても、ＮＣ情報が推測できないので、本発明の真偽判別方法などをだますことに成功するような偽造シートの製造は不可能である。
【図面の簡単な説明】
【図１】本発明の実施の形態１による真偽判別用シートとして用いた銀行券の概略を示す図。
【図２】本発明の実施の形態２による真偽判別用シートを示す図。
【図３】本発明の実施の形態３による真偽判別用シートを示す図。
【図４】本発明の実施の形態４による真偽判別用シートを示す図。
【図５】本発明の実施の形態５による真偽判別用シートを示す図。
【図６】本発明の実施の形態による個別情報を読み取るＣＣＤセンサと、ＮＣ情報を読み取る紫外線光源及びＣＣＤセンサを有する機械読取部を示す図。
【図７】本発明の実施の形態による個別情報を読み取るＣＣＤセンサと、ＮＣ情報を読み取る磁気ヘッド有する機械読取部を示す図。
【図８】本発明の実施の形態による個別情報を読み取るニ次元バーコードリーダーと、紫外線光源及びＣＣＤセンサを有する読取部分の構成を示す説明図。
【図９】ＯＶＤ上のＮＣ情報を読み取るためのレーザセンサのイメージ図。
【図１０】本発明の実施の形態６による真偽判別用シートの真偽判別方法を示すフローチャート。
【図１１】本発明の実施の形態６による真偽判別用シートの真偽判別装置を示す図。
【図１２】本発明の実施の形態７による真偽判別用シートの真偽判別方法を示すフローチャート。
【図１３】本発明の実施の形態７による真偽判別用シートの真偽判別装置を示す図。
【図１４】ネットワークのイメージ図。
【図１５】本発明の実施の形態８による真偽判別用シート管理センタを示す図。
【図１６】本発明の実施の形態８による真偽判別用シート読取端末を示す図。
【図１７】本発明の実施の形態８による真偽判別用シート発行時において、真偽判別用シートから個別情報とＮＣ情報を対応リストに登録しているところを示す説明図。
【図１８】本発明の実施の形態８による対応リストから、無効となった真偽判別用シートの個別情報とＮＣ情報を削除しているところを示す説明図。
【図１９】本発明の実施の形態８による真偽判別方法における処理の手順を示すフローチャート。
【図２０】本発明の実施の形態９による真偽判別用シート管理センタを示す図。
【図２１】本発明の実施の形態９による偽造シートのブラックリストへの登録を示す説明図。
【図２２】本発明の実施の形態９による真偽判別方法における処理の手順を示すフローチャート。
【図２３】本発明の実施の形態１０による真偽判別用シート管理センタを示す図。
【図２４】本発明の実施の形態１０による真偽判別用シート読取端末を示す図。
【図２５】本発明の実施の形態１０による真偽判別用シート発行時の手続きを示す説明図。
【図２６】本発明の実施の形態１０による真偽判別方法における処理の手順を示すフローチャート。
【図２７】本発明の実施の形態１０による真偽判別用シート読取端末の格納部からシートを取り出す際の手続きを示すフローチャート。
【図２８】本発明の実施の形態１１による真偽判別用シート管理センタを示す図。
【図２９】本発明の実施の形態１１による真偽判別用シート発行時の手続きを示す説明図。
【図３０】本発明の実施の形態１１による真偽判別方法における処理の手順を示すフローチャート。
【符号の説明】
１    銀行券
２    紫外線励起蛍光材料入り紙繊維付着インキ皮膜
３    記番号
４    真偽判別用シート
６    ニ次元バーコード
７    繊維類
８    個別情報
９    セキュリティスレッド
１０    ＯＶＤ
１２    磁気ヘッド
１３    ＣＣＤセンサ
１４    二次元バーコードリーダ
１５    蛍光ＣＣＤセンサ
１６    紫外線光源
１７    紫外線励起蛍光発光読取部分
１８    ＯＶＤレーザセンサ
１９    真偽判別用シート管理センタ
２０    真偽判別用シート読取端末
２１    ネットワーク
２２    真偽判別装置
３０    機械読取部
３１    真偽判別部
３２    対応リスト記録部
３３    ブラックリスト記録部
３４    表示部
３５    格納部
３６    格納リスト記録部
３７    判断部
３８    使用状況リスト記録部
３９    対応使用状況リスト記録部
【図１】
0004538617.tif 000002
【図２】
0004538617.tif 000003
【図３】
0004538617.tif 000004
【図４】
0004538617.tif 000005
【図５】
0004538617.tif 000006
【図６】
0004538617.tif 000007
【図７】
0004538617.tif 000008
【図８】
0004538617.tif 000009
【図９】
0004538617.tif 000010
【図１０】
0004538617.tif 000011
【図１１】
0004538617.tif 000012
【図１２】
0004538617.tif 000013
【図１３】
0004538617.tif 000014
【図１４】
0004538617.tif 000015
【図１５】
0004538617.tif 000016
【図１６】
0004538617.tif 000017
【図１７】
0004538617.tif 000018
【図１８】
0004538617.tif 000019
【図１９】
0004538617.tif 000020
【図２０】
0004538617.tif 000021
【図２１】
0004538617.tif 000022
【図２２】
0004538617.tif 000023
【図２３】
0004538617.tif 000024
【図２４】
0004538617.tif 000025
【図２５】
0004538617.tif 000026
【図２６】
0004538617.tif 000027
【図２７】
0004538617.tif 000028
【図２８】
0004538617.tif 000029
【図２９】
0004538617.tif 000030
【図３０】
0004538617.tif 000031